(57)【要約】【課題】コンテンツデータを選択する際に、再生音量を考慮した選択を行うことができるプログラム、情報処理方法、および情報処理装置を提供する。【解決手段】ホームサーバ装置としての情報処理装置２に、コンテンツデータと、当該コンテンツデータを再生させる際に指標となる音量データとを関連付けた参照データを参照して、指定された音量データに関連付けられた前記コンテンツデータを選択する選択部２８３と、選択したコンテンツデータを出力させる出力部２８４とを設ける。【選択図】図５
2005175779.tif 000002
【特許請求の範囲】
【請求項１】
コンテンツデータと、当該コンテンツデータを再生させる際に指標となる音量データとを関連付けた参照データを参照して、指定された音量データに関連付けられた前記コンテンツデータを選択する第１の手順と、
前記第１の手順で選択したコンテンツデータを出力させる第２の手順と
を情報処理装置に実行させるプログラム。
【請求項２】
前記第１の手順の前に、前記コンテンツデータの再生音量履歴データを前記音量データとして、当該コンテンツデータと関連付けて前記参照データを生成する第３の手順を有し、
前記第１の手順は、前記第３の手順で生成した参照データを参照して、前記指定された音量データに関連付けられた前記コンテンツデータを選択する
請求項１に記載のプログラム。
【請求項３】
前記第３の手順は、前記コンテンツデータが再生された曜日情報、および時間帯情報のいずれかを含む時間情報を、当該コンテンツデータと関連付けて前記参照データを生成し、
前記第１の手順は、前記第３の手順で生成した参照データおよび計時される時刻情報に基づいて、前記コンテンツデータを選択する
請求項２に記載のプログラム。
【請求項４】
前記コンテンツデータの再生音量履歴データに基づいて前記音量データを含む参照データを更新する第４の手順を有し、
前記第１の手順は、前記第４の手順で生成した参照データを参照して、前記指定された音量データに関連付けられた前記コンテンツデータを選択する
請求項１に記載のプログラム。
【請求項５】
少なくとも、前記コンテンツデータの再生をスキップさせる操作、およびリピート再生をさせる操作のいずれかを含む操作履歴データと、当該コンテンツデータとを関連付けて前記参照データを生成する第５の手順を有し、
前記第１の手順は、前記第５の手順で生成した参照データを参照して、前記操作履歴データおよび音量データに基づいてコンテンツデータを選択する
請求項１に記載のプログラム。
【請求項６】
前記コンテンツデータが再生された場所を示す再生場所情報と、当該コンテンツデータとを関連付けて前記参照データを生成する第６の手順を有し、
前記第１の手順は、前記第６の手順で生成した参照データを参照して、前記場所データおよび音量データに基づいて、前記コンテンツデータを選択する
請求項１に記載のプログラム。
【請求項７】
コンテンツデータと、当該コンテンツデータを再生させる際に指標となる音量データとを関連付けた参照データを参照して、指定されたコンテンツデータに関連付けられた音量データを選択する第１の手順と、
前記指定されたコンテンツデータを、前記第１の手順で選択された音量データに応じた音量で再生させる第２の手順と
を情報処理装置に実行させるプログラム。
【請求項８】
コンテンツデータと、当該コンテンツデータを再生させる際に指標となる音量データとを関連付けた参照データを参照して、指定された音量データに関連付けられた前記コンテンツデータを選択する第１のステップと、
前記第１のステップで選択したコンテンツデータを出力させる第２のステップと
を有する情報処理方法。
【請求項９】
コンテンツデータと、当該コンテンツデータを再生させる際に指標となる音量データとを関連付けた参照データを参照して、指定された音量データに関連付けられた前記コンテンツデータを選択する選択手段と、
前記選択手段で選択したコンテンツデータを出力させる出力手段と
を有する情報処理装置。
【請求項１０】
前記コンテンツデータの再生音量履歴データを前記音量データとして、当該コンテンツデータと関連付けて前記参照データを生成する参照データ生成手段を有し、
前記選択手段は、前記参照データ生成手段が生成した参照データを参照して、前記指定された音量データに関連付けられた前記コンテンツデータを選択する
請求項９に記載の情報処理装置。
【請求項１１】
コンテンツデータと、当該コンテンツデータを再生させる際に指標となる音量データとを関連付けた参照データを参照して、指定されたコンテンツデータに関連付けられた音量データを選択する選択手段と、
前記指定されたコンテンツデータを、前記選択手段で選択した音量データに応じた音量で再生させる再生手段と
を有する情報処理装置。
【発明の詳細な説明】
【技術分野】
【０００１】
本発明は、例えば、動画データや音声データ等の複数のコンテンツデータから所定のコンテンツデータを選択するプログラム、情報処理方法、および情報処理装置に関するものである。
【背景技術】
【０００２】
従来、例えばインターネット等の通信ネットワーク上のサーバ装置が端末装置からの要求に応じてコンテンツデータを提供するコンテンツ提供システムが知られている（例えば、特許文献１参照）。
例えば端末装置が楽曲データや動画データ等の複数のコンテンツデータを再生する場合に、どのコンテンツデータを選択するか、どのような順序で再生を行うかを指定するプログラム再生機能が知られている。また、コンテンツデータをランダムに選択し、ランダムな順序で再生を行わせるランダム再生機能が知られている。
【特許文献１】特開２００２−３２４１６８号公報
【発明の開示】
【発明が解決しようとする課題】
【０００３】
しかし、上述したプログラム再生機能では、予めユーザがコンテンツデータの再生の順序を設定するという煩雑な操作を行う必要がある。
また、上述したランダム再生機能では、コンテンツデータの再生の順序を設定する操作を行う必要はなく、意外性はあるが、再生されたコンテンツデータの雰囲気やジャンルといった統一感や、コンテンツデータ間のつながりや流れがないので、ユーザのその時の気分と異なるコンテンツデータを選択する場合がある。
【０００４】
具体的には例えばユーザが静かな曲調のクラシック音楽やジャズ等のコンテンツデータを比較的小音量で聞きたい場合に、ランダム再生機能を設定すると、ランダムに選択および順序決定を行うので、比較的大音量で聞きたい激しい曲調のロック音楽やジャズ等のコンテンツデータを選択してしまう場合があり、ユーザのその時の気分と異なったコンテンツデータを再生してしまう場合がある。
また、逆に、例えば大きな音量で激しい曲調のロック音楽等のコンテンツデータを聞きたい場合にランダム再生機能を設定すると、比較的小音量で聞きたい静かな曲調のコンテンツデータを選択してしまう場合があり、改善が望まれている。
【０００５】
本発明は、かかる事情に鑑みてなされたものであり、その目的は、コンテンツデータを選択する際に、再生音量を考慮した選択を行うことができるプログラム、情報処理方法、および情報処理装置を提供することにある。
【課題を解決するための手段】
【０００６】
前記目的を達成するために、本発明の第１の観点のプログラムは、コンテンツデータと、当該コンテンツデータを再生させる際に指標となる音量データとを関連付けた参照データを参照して、指定された音量データに関連付けられた前記コンテンツデータを選択する第１の手順と、前記第１の手順で選択したコンテンツデータを出力させる第２の手順とを情報処理装置に実行させる。
【０００７】
さらに、前記目的を達成するために、本発明の第２の観点のプログラムは、コンテンツデータと、当該コンテンツデータを再生させる際に指標となる音量データとを関連付けた参照データを参照して、指定されたコンテンツデータに関連付けられた音量データを選択する第１の手順と、前記指定されたコンテンツデータを、前記第１の手順で選択された音量データに応じた音量で再生させる第２の手順とを情報処理装置に実行させる。
【０００８】
さらに、前記目的を達成するために、本発明の第３の観点の情報処理方法は、コンテンツデータと、当該コンテンツデータを再生させる際に指標となる音量データとを関連付けた参照データを参照して、指定された音量データに関連付けられた前記コンテンツデータを選択する第１のステップと、前記第１のステップで選択したコンテンツデータを出力させる第２のステップとを有する。
【０００９】
さらに、前記目的を達成するために、本発明の第４の観点の情報処理装置は、コンテンツデータと、当該コンテンツデータを再生させる際に指標となる音量データとを関連付けた参照データを参照して、指定された音量データに関連付けられた前記コンテンツデータを選択する選択手段と、前記選択手段で選択したコンテンツデータを出力させる出力手段とを有する。
【００１０】
さらに、前記目的を達成するために、本発明の第５の観点の情報処理装置は、コンテンツデータと、当該コンテンツデータを再生させる際に指標となる音量データとを関連付けた参照データを参照して、指定されたコンテンツデータに関連付けられた音量データを選択する選択手段と、前記指定されたコンテンツデータを、前記選択手段で選択した音量データに応じた音量で再生させる再生手段とを有する。
【００１１】
本発明によれば、第１の手順および第１のステップで、選択手段がコンテンツデータと、当該コンテンツデータを再生させる際に指標となる音量データとを関連付けた参照データを参照して、指定された音量データに関連付けられた前記コンテンツデータを選択する。
第２の手順および第２のステップで出力手段が選択手段で選択したコンテンツデータを出力させる。
【発明の効果】
【００１２】
本発明によれば、コンテンツデータを選択する際に、再生音量を考慮した選択を行うことができるプログラム、情報処理方法、および情報処理装置を提供することができる。
【発明を実施するための最良の形態】
【００１３】
図１は、本発明に係る情報処理装置を採用した情報処理システムの第１実施形態の全体構成図である。
本実施形態に係る情報処理システム１は、例えば図１に示すように、提供元の情報処理装置２、および提供先の情報処理装置３とを有する。
本実施形態では、例えば提供元の情報処理装置２としてホームサーバ装置２、提供先の情報処理装置３として、複数のパーソナルコンピュータ（ＰＣ）３、例えば３台のＰＣ３−１〜３を有する。
ホームサーバ装置２および複数のＰＣ３それぞれは、通信ネットワーク４で接続されている。通信ネットワーク４としては例えば所定の有線方式や無線方式の通信路により構成されている。
【００１４】
本実施形態では例えば図１に示すように、洋室ＷＲにホームサーバ装置２、寝室ＢＲにＰＣ３−１、リビングＬＲにＰＣ３−２、和室ＪＲにＰＣ３−３を設ける。
【００１５】
ホームサーバ装置２は、例えば、複数のコンテンツデータＤＣを記憶し、提供先の情報処理装置３からの要求に応じて要求元のＰＣ３にコンテンツデータを提供する。またホームサーバ装置２は、インターネット等の通信ネットワーク４１を介してコンテンツデータを提供するコンテンツサーバ装置５にアクセスし、必要に応じてコンテンツデータＤＣをダウンロードして記憶する。
提供先の情報処理装置３は、ホームサーバ装置２から提供されたコンテンツデータＤＣを再生する。
【００１６】
図２は、図１に示した情報処理装置のハードウェア的な機能ブロック図である。
情報処理装置２および情報処理装置３は、ハードウェア的には略同じ構成を有する。
情報処理装置２は、図２に示すように、通信インタフェース（Ｉ／Ｆ）２１、計時部２２、ＲＡＭ（Random Access Memory）２３、ＲＯＭ（Read Only Memory）２４、記憶部２５、入力部２６、出力部２７、および制御回路（ＣＰＵ：Central Processing Unit ）２８を有する。
ＣＰＵ２８は本発明に係る選択手段に相当する。Ｉ／Ｆ２１または出力部２７は本発明に係る出力手段に相当する。出力部２７は本発明に係る再生手段に相当する。
Ｉ／Ｆ２１、計時部２２、ＲＡＭ２３、ＲＯＭ２４、記憶部２５、入力部２６、出力部２７、およびＣＰＵ（制御回路）２８はバスＢＳによりを接続されている。
【００１７】
Ｉ／Ｆ２１は、例えばＣＰＵ２８の制御により、通信ネットワーク４を介してコンテンツデータを含む所定のデータを、他の提供先の情報処理装置３とデータ通信を行う。
例えばＩ／Ｆ２１はＣＰＵ２８の制御により、通信ネットワーク４を介して提供先の情報処理装置３にコンテンツデータＤＣを出力する。
【００１８】
計時部２２は、例えば水晶発振器等の発振回路による発振信号に応じて計時を行い、計時結果に応じた時刻情報ＤＴをＣＰＵ２８に出力する。
ＲＡＭ２３は、ＣＰＵ２８の制御により、例えばプログラムＰＲＧを実行する際にワークエリアとして用いられる。
ＲＯＭ２４は、所定の初期変数やプログラムＰＲＧ等を記憶する。それらのデータは必要に応じて読み出される。
記憶部２５は、例えばプログラムＰＲＧ、コンテンツデータＤＣ、およびコンテンツデータＤＣを再生させる際に指標となる音量データとを関連付ける参照データＤＲを記憶する。
プログラムＰＲＧは、例えば本発明に係る機能を示す手順を含み、例えばＣＰＵ２８がプログラムＰＲＧを実行することにより、本発明に係る機能を実現する。
【００１９】
図３は、図１に示した情報処理装置が記憶するコンテンツデータおよび参照データ、特にコンテンツ関連データを説明するための図である。図４は、図１に示した情報処理装置が記憶するコンテンツデータおよび参照データ、特にコンテンツ再生状況データ、操作履歴データを説明するための図である。
参照データＤＲは、少なくともコンテンツデータＤＣと、当該コンテンツデータＤＣを再生させる際に指標となる音量データＤＡとが関連付けられている。
【００２０】
本実施形態では、例えば参照データＤＲは、図３，４に示すように、コンテンツデータＤＣ、コンテンツ関連データＤＡＳ、コンテンツ再生状況データＤＲＵ、コンテンツ操作履歴データＤＨ、およびポイントデータＤＰとが関連付けられて構成されている。
【００２１】
参照データＤＲは、コンテンツデータＤＣと関連付けられたデータである。
コンテンツデータＤＣは、例えば動画や静止画等の画像データや、音楽や音声等の音データである。
【００２２】
コンテンツ関連データＤＡＳは、コンテンツデータＤＣに関するデータである。例えばコンテンツ関連データＤＡＳは、コンテンツに付随するデータＤＡＳ１、および再生時取得データＤＡＳ２を有する。
コンテンツに付随するデータＤＡＳ１は、例えば図３に示すように、ジャンルＤＡＳ１１、リリース年月日ＤＡＳ１２、アーティスト名ＤＡＳ１３を有する。
【００２３】
再生時取得データＤＡＳ２は、コンテンツデータＤＣを再生する際に取得できるデータである。再生時取得データＤＡＳ２は、例えば図３に示すように、ＢＰＭデータＤＡＳ２１、カット切替頻度ＤＡＳ２２がコンテンツデータＤＣと関連付けられて構成されている。
ＢＰＭデータＤＡＳ２１は、例えばコンテンツデータＤＣが音楽データの場合に、単位時間当りの拍数、例えば１分間当りの拍数を示すデータである。
カット切替頻度ＤＡＳ２２は、例えばコンテンツデータＤＣが動画像データの場合には、カットの切替りの頻度を示すデータである。
【００２４】
コンテンツ再生状況データＤＲＵは、コンテンツデータＤＣを再生した状況を示すデータである。コンテンツ再生状況データＤＲＵは、例えば図４に示すように、曜日情報ＤＷ、時間帯情報ＤＺ、再生場所情報ＤＰＬ、および音量データＤＶＬがコンテンツデータＤＣと関連付けられて構成されている。
【００２５】
曜日情報ＤＷは、コンテンツデータＤＣが再生された曜日を示すデータであり、ユーザの曜日による行動パターンを把握し、コンテンツデータＤＣの選択の際に参照される。
時間帯情報ＤＺは、コンテンツデータＤＣが再生された時間や時間帯を示すデータである。例えば時間帯情報ＤＺは、朝、昼、夕方、夜、深夜等を示すデータを含む。
再生場所情報ＤＰＬは、コンテンツデータＤＣが再生された場所、例えばコンテンツデータＤＣを再生するＰＣ３が設置されている場所に関するデータである。例えば、再生場所情報ＤＰはＰＣ３それぞれに割り当てられた識別番号ＩＤやＩＰアドレス（Internet Protocol Address ）であってもよい。
【００２６】
音量データＤＶＬは、コンテンツデータＤＣを再生させる際に指標となるデータであり、例えばコンテンツデータＤＣを再生させた際の再生音量履歴データである。例えば音量データＤＶＬは、具体的には再生音量に応じて、小音量、中音量、または大音量を示すデータであってもよいし、再生音量の大きさを所定の単位で示した０〜１０を示すデータであってもよい。
【００２７】
また、コンテンツ再生状況データＤＲＵは、上述したものに限られるものではなく、例えばユーザにより入力された、より具体的な再生状況、例えば読書をしながら再生していることを示すデータや、ベッドで横になりながら再生していることを示すデータ等を含んでいてもよい。
【００２８】
コンテンツ操作履歴データＤＨは、コンテンツデータＤＣを再生する際のユーザによる操作履歴に係るデータである。コンテンツ操作履歴データＤＨは、例えばコンテンツデータＤＣを再生したことを示すデータや、コンテンツデータＤＣの再生をスキップさせる操作を示すデータや、リピート再生をさせる操作を示すデータを含む。
ポイントデータＤＰは、例えばコンテンツ操作履歴データＤＨを基に生成され、ユーザのコンテンツデータＤＣに対する嗜好を示す指標となるデータである。
【００２９】
例えば詳細には、ポイントデータＤＰは、コンテンツ操作履歴データＤＨが、コンテンツデータＤＣの再生をスキップさせる操作を示すデータの場合には１ポイントが減算され、コンテンツ操作履歴データＤＨが、再生やリピート再生をさせる操作を示すデータを含む場合には１ポイントが加算される。
【００３０】
入力部２６は、例えばユーザの操作に応じた信号に応じた信号をＣＰＵ２８に出力する。
例えば入力部２６は、音量データ入力部２６１、コンテンツ選択部２６２、好みボタン部２６３、リピート再生ボタン部２６４、およびスキップボタン部２６５を有する。
音量データ入力部２６１は、再生音量データを設定する場合に、例えばユーザにより再生音量データが入力される。具体的には音量データ入力部２６１は一般的なボリュームスイッチ等の入力装置である。
コンテンツ選択部２６２は、ユーザの操作により所望のコンテンツデータを選択する際に操作され、操作に応じた信号をＣＰＵ２８に出力する。ＣＰＵ２８はコンテンツ選択部２６２から入力された信号に応じて、コンテンツデータを選択する。
【００３１】
好みボタン部２６３は、複数のコンテンツデータＤＣから、少なくとも音量データを基にコンテンツデータを選択させる好みモードを設定または設定の解除を行う際に操作される。ＣＰＵ２８は、好みボタン部２６３の操作に応じて好みモードの設定または設定の解除を行う。
リピート再生ボタン部２６４は、例えばコンテンツデータＤＣをリピート再生（繰返し再生）を行わせる際に操作される。ＣＰＵ２８はリピート再生ボタン部２６４が操作されると、コンテンツデータＤＣのリピート再生を行う。
スキップボタン部２６５は、コンテンツデータＤＣの再生をスキップさせて、次のコンテンツデータを再生させる際に操作される。ＣＰＵ２８は、スキップボタン部２６５が操作されると、コンテンツデータＤＣの再生をスキップさせて、次のコンテンツデータを再生させる。
【００３２】
出力部２７は、ＣＰＵ２８の制御により、例えばコンテンツデータの出力を行う。例えば出力部２７は、表示部２７１、および発音部２７２を有する。
表示部２７１は、例えば液晶装置やＣＲＴ（Cathode Ray Tube）等の表示装置であり、ＣＰＵ２８の制御により、コンテンツデータＤＣに応じた表示を行う。
発音部２７２は、例えば増幅回路やスピーカ等の発音装置であり、ＣＰＵ２８の制御により、コンテンツデータＤＣに応じた発音を行う。また、発音部２７２は、音量データ入力部２６１による音量データに応じた再生音量で、コンテンツデータＤＣに応じた発音を行う。
【００３３】
図５は、図１に示した情報処理装置の機能ブロックを示す図である。
ＣＰＵ２８は、例えばプログラムＰＲＧや入力されたデータに応じて装置全体を制御する。ＣＰＵ２８は、例えばプログラムＰＲＧを実行することにより、図５に示すように、参照データ生成部２８１、更新部２８２、選択部２８３、および出力部２８４等の本発明に係る機能を実現する。
【００３４】
参照データ生成部２８１は、例えばＩ／Ｆ２１や入力部２６から入力されたデータを基に、少なくともコンテンツデータＤＣと、当該コンテンツデータＤＣを再生させる際に指標となる音量データＤＶＬとを関連付けた参照データＤＲを生成する。
本実施形態では、例えば参照データ生成部２８１は、コンテンツデータＤＣと、コンテンツデータＤＣの再生音量履歴データを音量データとして、当該コンテンツデータＤＣと関連付けて参照データＤＲを生成する。
また、参照データ生成部２８１は、コンテンツデータＤＣが再生された曜日情報ＤＷ、および時間帯情報ＤＺのいずれかを含む時間情報を、当該コンテンツデータと関連付けて参照データＤＲを生成する。
また、参照データ生成部２８１は、コンテンツデータＤＣが再生された場所を示す再生場所情報ＤＰＬと、当該コンテンツデータＤＣとを関連付けて参照データＤＲを生成する。
また、参照データ生成部２８１は、コンテンツデータＤＣの再生をスキップさせる操作、およびリピート再生をさせる操作のいずれかを含むコンテンツ操作履歴データＤＨと、当該コンテンツデータとを関連付けて参照データＤＲを生成する。
【００３５】
更新部２８２は、例えば、Ｉ／Ｆ２１や入力部２６から入力されたデータを基に参照データＤＲを更新する。
例えば更新部２８２は、Ｉ／Ｆ２１や入力部２６から入力されたデータを基に、コンテンツデータＤＣの再生音量履歴データに基づいて音量データＤＶＬを含む参照データＤＲを更新する。
また、更新部２８２は、Ｉ／Ｆ２１や入力部２６から入力されたデータを基に、コンテンツ再生状況データや操作履歴データを更新する。
【００３６】
選択部２８３は、コンテンツデータＤＣと、当該コンテンツデータＤＣを再生させる際に指標となる音量データとを関連付けた参照データＤＲを参照して、指定された音量データＤＶＬに関連付けられたコンテンツデータＤＣを選択する。
選択部２８３は、計時部２２で計時される時刻情報や、参照データＤＲ、具体的にはコンテンツデータＤＣ、コンテンツ関連データＤＡＳ、コンテンツ再生状況データＤＲＵ、コンテンツ操作履歴データＤＨ、ポイントデータＤＰ、および再生場所情報ＤＰＬ等に基づいて、コンテンツデータＤＣを選択し、選択結果を信号Ｓ２８３として、出力部２８４に出力する。
また、選択部２８３は、上述した選択処理を行う際に、コンテンツに付随するデータＤＡＳ１、および再生時取得データＤＡＳ２等に基づいて、コンテンツデータＤＣを選択してもよい。例えば選択部２８３は、連続してコンテンツデータを選曲する際に、ＤＡＳ１、および再生時取得データＤＡＳ２を基に、コンテンツデータの統一感や流れを考慮して選択処理を行う。
【００３７】
出力部２８４は選択部２８３からの信号Ｓ２８３を受信すると、選択されたコンテンツデータＤＣを出力する。この際、出力部２８４はコンテンツデータＤＣの出力先に応じて、Ｉ／Ｆ２１および出力部２７等を適宜、選択して出力させる。
【００３８】
ＰＣ３のハードウェア的な機能ブロックは情報処理装置２と略同様なので説明を省略する。本実施形態に係るＰＣ３はコンテンツ再生要求をホームサーバ装置（情報処理装置）２に送信する。
またＰＣ３は、ホームサーバ装置２から送信されたコンテンツデータを再生し、その再生状況データＤＲＵやコンテンツ操作履歴データＤＨをホームサーバ装置２に送信する。
【００３９】
図６は、図１に示した情報処理装置（ホームサーバ装置）２および情報処理装置（ＰＣ）３を含む情報処理システムの動作の一具体例を説明するためのフローチャートである。図１〜図６を参照しながら、ホームサーバ装置２の動作、特に音量データを生成する処理を、ＣＰＵ２８の動作を中心に説明する。
【００４０】
ステップＳＴ２１において、ＰＣ３はホームサーバ装置２にコンテンツ再生要求を通信ネットワーク４を介して送信する。
ステップＳＴ１１において、ホームサーバ装置２では、Ｉ／Ｆ２１でそのコンテンツ再生要求を受信すると、ＣＰＵ２８は、記憶部２５が記憶するコンテンツデータＤＣを要求元のＰＣ３に送信する（ＳＴ１２）。
【００４１】
ステップＳＴ２２において、ＰＣ３はホームサーバ装置２から送信されたコンテンツデータＤＣを受信し、そのコンテンツデータＤＣを再生する（ＳＴ２３）。
ステップＳＴ２４において、ＰＣ３は、コンテンツ再生の際に、再生状況データＤＲＵやコンテンツ操作履歴データＤＨをホームサーバ装置２に送信する。
具体的には、ＰＣ３は再生状況データＤＲＵとして、再生音量履歴データ、再生時間データ、および場所情報を送信し、ユーザの操作に応じてコンテンツデータＤＣの再生を停止する（ＳＴ２５）。
【００４２】
ステップＳＴ１３において、ホームサーバ装置２は、ＰＣ３から送信された再生状況データＤＲＵや操作履歴情報ＤＨ等をＩ／Ｆ２１で受信すると、ＰＣ３で再生しているコンテンツデータＤＣと、ＰＣ３から送信された再生状況データＤＲＵや操作履歴情報ＤＨ等を関連付けた参照データＤＲを生成し、記憶する（ＳＴ１４）。
【００４３】
図７は、図１に示した情報処理装置（ホームサーバ装置）２および情報処理装置（ＰＣ）３を含む情報処理システムの動作の一具体例を説明するためのフローチャートである。図１〜図５，図７を参照しながら、ホームサーバ装置２の動作、特にコンテンツ自動選択モード時の処理を、ＣＰＵ２８の動作を中心に説明する。
【００４４】
ステップＳＴ１２１において、ＰＣ３は自動選択モードを示すデータ、およびコンテンツデータを再生させる音量（増幅度）を示す音量データや、再生状況を示すデータ、例えば場所データやＩＤ情報、時間データ等を通信ネットワーク４を介してホームサーバ装置２に送信する。
ステップＳＴ１１１において、ホームサーバ装置２では、Ｉ／Ｆ２１がそのデータを受信すると、選択部２８３は、自動選択モードが設定され、コンテンツデータＤＣと、当該コンテンツデータＤＣを再生させる際に指標となる音量データＤＶＬとを関連付けた参照データを参照して、指定された音量データに関連付けられたコンテンツデータＤＣを選択する（ＳＴ１１２）。
【００４５】
ステップＳＴ１１３において、選択部２８３は、参照データＤＲを参照して、計時部２２で計時される時間情報、および参照データＤＲに基づいて、コンテンツデータＤＣを選択する。ステップＳＴ１１３は本発明に係る第１の手順１および第１のステップに相当する。
ステップＳＴ１１４において、選択部２８３は、参照データＤＲを参照して、コンテンツ操作履歴データＤＨ、ポイントデータＤＰおよび音量データ等に基づいてコンテンツデータＤＣを選択する。
ステップＳＴ１１５において、出力部２８４は、選択部２８３から出力された信号Ｓ２８３を基に、選択されたコンテンツデータＤＣをＩ／Ｆ２１に通信ネットワーク４を介してＰＣ３に出力させる。ステップＳＴ１１５は本発明に係る第２の手順および第２のステップに相当する。
【００４６】
例えば、選択部２８３は、再生状況に近いと思われる状況を、記憶部２５が記憶する参照データＤＲを参照して、ユーザが好むと思われるコンテンツデータを選択する。
【００４７】
具体的には、例えば金曜日の夜に寝室で音量を下げて聴いている場合には、再生状況として曜日情報ＤＷが金曜日、時間帯情報ＤＺが夜、場所情報ＤＰＬが寝室（寝室に備えられたＰＣを示すＩＤ情報）、再生音量データが小音量を示す場合には、選択部２８３は、例えば図３，４に示した参照データＤＲを参照して、これまで小音量で再生されていた複数のコンテンツデータＤＣを選択し、その中から時間情報、再生状況データ（ポイントデータＤＰ）等を基に絞込み選択を行ってもよい。
【００４８】
また、複数のコンテンツデータを選択する際に、選択部２８３は、コンテンツ関連データＤＡＳに基づいて、統一感や流れを考慮して選択を行う。例えば、同じアーティストの他の曲を選択する確率を上げて選択を行ったり、これまでのユーザの選択履歴等を参照して、選択履歴に共通する特徴に応じた選択を行ってもよい。
【００４９】
また具体的には、選択部２８３は、再生状況および参照データＲＣを基に、例えば、これまでユーザによる選択は土曜の夜に聞いている曲が多いと判断した場合に、同じく土曜の夜にポイントが高いコンテンツデータＤＣを選択する。
【００５０】
ステップＳＴ１２２において、ＰＣ３では、ホームサーバ装置２から送信されたコンテンツデータＤＣを受信すると、そのコンテンツデータＤＣを、不図示の出力部、例えば表示部や発音部に出力させる（ＳＴ１２３）。
ステップＳＴ１２４において、ＰＣ３では、例えばユーザの操作に応じて、再生状況データ（音量データ、時間データ、場所データ等）や、操作履歴データ等をホームサーバ装置２に送信し、必要に応じてコンテンツデータＤＣの再生を停止する（ＳＴ１２５）。
【００５１】
ステップＳＴ１１６において、ホームサーバ装置２では、Ｉ／Ｆ２１でそれらのデータを受信すると、更新部２８２は、少なくともコンテンツデータの再生音量履歴データに基づいて音量データを含む参照データＤＲを更新する。また、再生状況データ、操作履歴データＤＨ等に基づいて参照データＤＲを更新する（ＳＴ１１７）。
【００５２】
また、ＰＣ３からのコンテンツ再生のスキップ要求やリピート要求等の要求を受信すると、必要に応じてステップＳＴ１１１からＳＴ１１７の処理を繰り返す。
【００５３】
以上説明したように、本実施形態では、ホームサーバ装置としての情報処理装置２に、コンテンツデータと、当該コンテンツデータを再生させる際に指標となる音量データとを関連付けた参照データを参照して、指定された音量データに関連付けられた前記コンテンツデータを選択する選択部２８３と、選択したコンテンツデータを出力させる出力部２８４とを設けたので、コンテンツデータを選択する際に、煩雑な操作を行うことなく再生音量を考慮した選択を行うことができる。
また、音量データを用いてコンテンツデータを選択するので、例えばユーザが静かな曲調のクラシック音楽やジャズ等のコンテンツデータを比較的小音量で聞きたい場合に、音量履歴データＤＶＬを基に小音量で再生されたコンテンツデータＤＣを選択するので、ユーザの嗜好に合ったコンテンツデータを選択し、再生させることができる。
【００５４】
また、選択部２８３は、コンテンツデータＤＣが再生された曜日情報ＤＷ、および時間帯情報ＤＺのいずれかを含む時間情報を参照して、計時部２２で計時される時刻情報を基にコンテンツデータＤＣを選択するので、例えば、金曜日の深夜等によく再生されるコンテンツデータを優先的に選曲し、かつ音量データＤＶＬも考慮してコンテンツデータを選択するので、ユーザの嗜好に合ったコンテンツデータＤＣを選択し、再生させることができる。
【００５５】
また、更新部２８２が、コンテンツデータの再生音量履歴データに基づいて音量データを含む参照データＤＲを更新し、選択部２８３が参照データＤＲを参照して、指定された音量データに関連付けられたコンテンツデータＤＣを選択するので、常にユーザの嗜好を反映させることができる。
【００５６】
また、参照データ生成部２８１や更新部２８２が、コンテンツデータＤＣの再生をスキップさせる操作、およびリピート再生をさせる操作のいずれかを含む操作履歴データと、当該コンテンツデータとを関連付けて参照データを生成や更新を行うので、常にユーザの嗜好を反映させることができる。
【００５７】
また、参照データ生成部２８１や更新部２８２が、コンテンツデータＤＣが再生された場所を示す再生場所情報ＤＰＬと、当該コンテンツデータとを関連付けて参照データＤＣを生成や更新を行うので、常にユーザの嗜好を反映させることができる。
【００５８】
なお、本発明は本実施形態に限られるものではなく、任意好適な改変が可能である。
例えば、本実施形態では、ＰＣ３からの要求に応じてホームサーバ装置２がコンテンツ選択処理を行い、ＰＣ３が選択されたコンテンツデータＤＣを再生する形態を例示したがこの形態に限られるものではない。
例えば、ホームサーバ装置２やＰＣ３をスタンドアロンとして本発明に係る機能を実現してもよい。こうすることで、単体装置であっても本発明に係る機能を実現することができる。
また、ＰＣ３でコンテンツデータＤＣの選択処理を行う形態にしてもよい。こうすることで例えばホームサーバ装置２の処理負担を軽減することができる。
【００５９】
また、ホームサーバ装置２やＰＣ３がコンテンツデータＤＣを選択し、再生時には選択されたコンテンツデータＤＣに関連付けられている音量データＤＶＬに応じた音量で出力部の発音部が再生してもよい。こうすることで、コンテンツデータＤＣに応じたユーザの音量に関する嗜好を反映させた再生を行うことができる。
また、提供元の情報処理装置２をホームサーバ装置、提供先の情報処理装置３をＰＣとしたがこの形態に限られるものではない。例えば情報処理装置３として、通信機能を備えたテレビジョン受像装置やオーディオ装置等であってもよいし、携帯電話等の携帯型情報処理装置であってもよい。
また、本実施形態では、プログラムＰＲＧを実行することにより本発明に係る機能を実現したが、この形態に限られるものではない。例えばハードワイヤードで本発明に係る機能を実現してもよい。
また、本発明に係る情報処理システムは、家庭環境内での使用に限られるものではない。
【図面の簡単な説明】
【００６０】
【図１】本発明に係る情報処理装置を採用した情報処理システムの第１実施形態の全体構成図である。
【図２】図１に示した情報処理装置のハードウェア的な機能ブロック図である。
【図３】図１に示した情報処理装置が記憶するコンテンツデータおよび参照データ、特にコンテンツ関連データを説明するための図である。
【図４】図１に示した情報処理装置が記憶するコンテンツデータおよび参照データ、特にコンテンツ再生状況データ、操作履歴データを説明するための図である。
【図５】図１に示した情報処理装置の機能ブロックを示す図である。
【図６】図１に示した情報処理装置（ホームサーバ装置）２および情報処理装置（ＰＣ）３を含む情報処理システムの動作の一具体例を説明するためのフローチャートである。
【図７】図１に示した情報処理装置（ホームサーバ装置）２および情報処理装置（ＰＣ）３を含む情報処理システムの動作の一具体例を説明するためのフローチャートである。
【符号の説明】
【００６１】
１…情報処理システム、２…提供元の情報処理装置（ホームサーバ装置）、３…提供先の情報処理装置（ＰＣ）、４…通信ネットワーク、５…コンテンツサーバ装置、２１…通信インタフェース（Ｉ／Ｆ）、２２…計時部、２３…ＲＡＭ（Random Access Memory）、２４…ＲＯＭ（Read Only Memory）、２５…記憶部、２６…入力部、２７…出力部、２８…制御回路（ＣＰＵ：Central Processing Unit ）、２６１…音量データ入力部、２６２…コンテンツ選択部、２６３…好みボタン部、２６４…リピート再生ボタン部、２６５…スキップボタン部、２７１…表示部、２７２…発音部、２８１…参照データ生成部、２８２…更新部、２８３…選択部、２８４…出力部、ＢＳ…バス。
【図１】
2005175779.tif 000003
【図２】
2005175779.tif 000004
【図３】
2005175779.tif 000005
【図４】
2005175779.tif 000006
【図５】
2005175779.tif 000007
【図６】
2005175779.tif 000008
【図７】
2005175779.tif 000009